(57)【要約】【課題】閉じた空間の小開口部に係止して内部を照明し得、その際にその小開口部を占有するスペースを最小限に留め、かつ極力広範に照明可能とする。【解決手段】乾電池又は二次電池を収納する筐体１と、この筐体１から延長したアーム２、その先端に構成した逆Ｕ字形の係止部３及びその先端側垂下部３ａの外面に配した光源４からなる照明部５とで構成する。筐体１の背面にはアーム収納溝１ｅを備えた壁当たり１ｄを配する。その下方には筐体１の前面側に突き抜ける係止部収納溝１ｆを形成する。アーム２は、これを筐体１の背面側に倒すと、アーム収納溝１ｅ中に収納状態となり、かつ逆Ｕ字形の係止部３が係止部収納溝１ｆに収納状態になるように、基部を筐体１の下部中央にヒンジ２ａを介して回動自在に取り付ける。【選択図】　図３
2004071318.tif 000002
【特許請求の範囲】
【請求項１】
照明部と、該照明部に駆動電流を供給する電源部とを備えた携帯用照明装置に於いて、
前記照明部を、前記電源部の筐体から延長したアーム部材と、該アーム部材の先端に設けた逆Ｕ字形係止部材であって、閉じた空間を仕切る仕切り壁の開口部縁に係止するための逆Ｕ字形係止部材と、該逆Ｕ字形係止部材の先端側垂下部の外面に配した光源とで構成した携帯用照明装置。
【請求項２】
前記照明部の光源の背後に平面状の反射板を配置した請求項１の携帯照明装置。
【請求項３】
前記電源部の筐体を箱形に構成し、該電源部の筐体の裏面中央部にアーム部材収納用縦溝を、該電源部の筐体の上部に該アーム部材収納用縦溝に連続する逆Ｕ字形係止部材収納用縦溝を、それぞれ構成し、
かつ前記アーム部材の基部を、前記電源部の筐体の下端中央部に回動自在に取り付け、該アーム部材を該アーム部材収納用縦溝中に収納するように回動させると、その上部の逆Ｕ字形係止部材が前記逆Ｕ字形係止部材収納用縦溝中に収納され、かつ該逆Ｕ字形係止部材の先端側垂下部の外面に配した光源が該電源部の筐体の前面側に露出することとなるように構成した請求項１又は２の携帯用照明装置。
【請求項４】
前記アーム部材の、前記アーム部材収納用縦溝に収納した場合に露出することとなる面に、胸ポケットに差込み可能な係止片を配した請求項３の携帯用照明装置。
【請求項５】
前記電源部の筐体の前面の、前記アーム部材の前記アーム部材収納用縦溝に収納状態で露出することとなる光源の周囲に反射部材を配した請求項３又は４の携帯用照明装置。
【請求項６】
前記アーム部材に、これを前記アーム部材収納用縦溝に収納した場合に前記筐体の裏面側をカバーすることとなる被覆部材を構成した請求項３、４又は５の携帯用照明装置。
【発明の詳細な説明】
【０００１】
【発明の属する技術分野】
本発明は、天井裏、壁裏、床下又は配管内等の狭い空間内の対象物に必要な作業操作等を加えるに際して、それらの内部の対象物を視認するために使用する携帯用照明装置に関するものであり、特に該空間を仕切る仕切り壁等に形成された狭い開口部から該空間内部を広範囲に照射可能である携帯用照明装置に関するものである。
【０００２】
【従来の技術】
天井裏や壁の内側又は床下等に、作業工程上又は作業の都合上前もって仮設置されている電気の屋内配線や電話線又はガスフレキ配管等の外部機器への接続、或いはそれらの保守又は改修乃至増設等に際しては、当然それらの作業に先立って工事対象箇所の施設状況を把握する必要がある。このような場合に、それらの内部に入ったり壁の該当部位を取り壊したりして作業できる場合は問題ないが、多くの場合は、それは許されず、取り付けるべき外部機器それ自体の内部又は壁面等に開いていることのある開口部等を利用して外部からその施設状況を把握し、それによって作業せざるを得ないのが普通である。しかも上記開口部は、多くの場合は、作業用に開口されたものではなく、例えば、スイッチパネル取付け用等の小さなそれ（数センチ角程度）であるようなことは普通である。
【０００３】
そのような開口部の内側は仕切り壁等で囲まれて暗く、工事対象箇所の施設状況を把握するためには、内部を照射する必要がある。そこで、狭い開口であっても照射可能なように、従来、ペンライト等と呼ばれる携帯型の照明器具が用いられている。ペンライトは小型の懐中電灯とも云うべきもので、光源を含む照明部と、その光源に必要な電源となる電池を含む電源部とが、通常円筒状の筐体に一体に構成されている。ペンライトは、通常の筆記用のペンと大差ない位に細く、従来型構造の照明器具として限界に近いまでに小型化されていると考えられる。作業者は使用に際し、前記開口部に先端の照明部を差込んでその内部を照明しようとしている。
【０００４】
しかし、このような小型の照明器具であってもその存在を意識せざるを得ない程小さい（数センチ角又は径程度）開口部を通じての作業が多く、しばしば以下のような困難を伴い、その内部の施設状況の把握や作業の効率低下を招く原因となっている。
【０００５】
これを、図８を用いて説明する。開口部１１を通じて壁の内部を照明しようとしている照明器具はペンライト１２であり、一般的には充分小形な照明器具であると云えるが、開口部１１もかなり小さいため、相対的には小形であるとも云えず、内部の照明のために該開口部１１にこれを近づけるとそこから内部を覗き込む際に障害となり、逆に、これを避けるため該ペンライト１２を該開口部１１から遠ざけると、今度は照明が不完全となり、内部は暗くなって目的物の把握が困難になってしまうこととなる。
【０００６】
また、以上のペンライト１２のような従来型の照明器具の場合、限られた光量を目的の個所にスポット的に集中させるため集光レンズや凹面鏡の反射板が備えられているが、これらによる強い指向性のため、極めて狭い範囲Ｓ１しか照射されず、特に狭い開口部１１を通して見る場合、更に作業者は照明器具が照射するのと同じ方向からしか目視できない。このため、特に開口部１１から離れ、かつ仕切り壁１３の背後に隠れた部分を目視しようとすると、照明器具が覗き込むうえで障害となる。更に照射されて明るいＳ１の周辺部分には集光レンズの収差による明暗の多重環が生じるため、目視するのに有効な明るい範囲は一層狭まる。この結果、例えば、図８に示す作業対象の電線１４の末端は、照射範囲Ｓ１の多重環の内側Ｓ２に入らなければ視認し難い。このため、作業者は、照明器具で照射する方向と覗き込む方向とを共にゆっくりと変えながら、時間をかけて内部の施設状況を把握せざるを得なくなる。
【０００７】
狭い開口部を通じて壁内の配線やガス配管等を一旦引出し、外部で配線相互や外部機器との接続処理等をしてから再度開口部を通じて壁内に戻したり、接続準備のための端末処理等をすることも多い。こうしたケーブルの引出し作業をする場合等、両手を使う必要性も高く、その場合は、照明器具はこれを口にくわえて開口部内を照射しつつ覗き込むような作業を余儀なくされることも多く、開口部内の視認や作業の効率を一層低下させることになっている。以上のように、ペンライトのような従来型照明器具をそのまま小型化しただけのものでは、狭い開口部内を照射して施設状況を把握し作業するために充分有効であるとは云えない。
【０００８】
【発明が解決しようとする課題】
本発明は、以上の従来の携帯用照明装置の問題点を解消すること、即ち、仕切り壁等に設けられた開口部の内部を照射する際に、開口部に対して占有するスペースを最小限に留めて内部の目視のため及び作業のための開口スペースを十分確保できるようにすること、更にその保持のために作業者が自分の手や口を使う必要がなく、作業のために両手を確保しておくことが可能なこと、加えて光源には過度な指向性や集光レンズの収差等で生じる照射範囲周辺の明暗の多重環がなく、極力広範に照射可能であることの各条件を確保できる携帯用照明装置を提供することを解決の課題とする。
【０００９】
【課題を解決するための手段】
本発明の１は、照明部と、該照明部に駆動電流を供給する電源部とを備えた携帯用照明装置に於いて、
前記照明部を、前記電源部の筐体から延長したアーム部材と、該アーム部材の先端に設けた逆Ｕ字形係止部材であって、閉じた空間を仕切る仕切り壁の開口部縁に係止するための逆Ｕ字形係止部材と、該逆Ｕ字形係止部材の先端側垂下部の外面に配した光源とで構成した携帯用照明装置である。
【００１０】
本発明の２は、本発明の１の携帯照明装置に於いて、前記照明部の光源の背後に平面状の反射板を配置したものである。
【００１１】
本発明の３は、本発明の１又は２の携帯用照明装置に於いて、前記電源部の筐体を箱形に構成し、該電源部の筐体の裏面中央部にアーム部材収納用縦溝を、該電源部の筐体の上部に該アーム部材収納用縦溝に連続する逆Ｕ字形係止部材収納用縦溝を、それぞれ構成し、
かつ前記アーム部材の基部を、前記電源部の筐体の下端中央部に回動自在に取り付け、該アーム部材を該アーム部材収納用縦溝中に収納するように回動させると、その上部の逆Ｕ字形係止部材が前記逆Ｕ字形係止部材収納用縦溝中に収納され、かつ該逆Ｕ字形係止部材の先端側垂下部の外面に配した光源が該電源部の筐体の前面側に露出することとなるように構成したものである。
【００１２】
本発明の４は、本発明の３の携帯用照明装置に於いて、前記アーム部材の、前記アーム部材収納用縦溝に収納した場合に露出することとなる面に、胸ポケットに差込み可能な係止片を配したものである。
【００１３】
本発明の５は、本発明の３又は４の携帯用照明装置に於いて、前記電源部の筐体の前面の、前記アーム部材の前記アーム部材収納用縦溝に収納状態で露出することとなる光源の周囲に反射部材を配したものである。
【００１４】
本発明の６は、本発明の３、４又は５の携帯用照明装置に於いて、前記アーム部材に、これを前記アーム部材収納用縦溝に収納した場合に前記筐体の裏面側をカバーすることとなる被覆部材を構成したものである。
【００１５】
【発明の実施の形態】
本発明は、照明部と、該照明部に駆動電流を供給する電源部とからなり、該照明部を、該電源部の筐体から延長したアーム部材と、該アーム部材の先端に設けた逆Ｕ字形係止部材であって、閉じた空間を仕切る仕切り壁の開口部縁に係止するための逆Ｕ字形係止部材と、該逆Ｕ字形係止部材の先端側垂下部の外面に配した光源とで構成した携帯用照明装置である。
【００１６】
前記照明部は、以上のように、電源部の筐体から延長したアーム部材と、その先端に設けた逆Ｕ字形係止部材と、その先端垂下部の外面に配した光源とで構成したものであり、上記仕切り壁の開口部縁に該逆Ｕ字形係止部材を係止することにより、該開口部に大きな占有部分を取らずに、その先端側垂下部の外面に配した光源を該仕切り壁の内側に位置させて照明できるようにしたものである。該開口部に大きな占有部分を取らないようにするとの趣旨から、上記アーム部材及びその先端の逆Ｕ字形係止部材は必要な強度等を保持することを前提に、可能な限り細く又は薄く形成するのが好ましい。他方、前記筐体は、電源を保持し得るもので、あまり大きくない方がよいが、特にその形状等を限定する理由はない。
【００１７】
また前記逆Ｕ字形係止部材は、前記のように、前記仕切り壁の開口部縁に係止するための部材であるから、当然、立ち上がり部分と先端側垂下部との間隔を対象の開口部縁に係止可能な広さを持つものに構成する。具体的には、対象となる建築物の壁面開口部等に係止可能な間隔とする。
【００１８】
前記アーム部材は、前記のように、電源部の筐体から延長したものであるが、これはこの携帯用照明装置をできるだけコンパクトにして携帯し易くする趣旨から、該筐体から引き出し自在に引き出しうるものとし又は折り畳み自在に展開できるように構成するのが好ましい。
【００１９】
例えば、前記電源部の筐体を箱形に構成し、該電源部の筐体の裏面中央部にアーム部材収納用縦溝を、該電源部の筐体の上部に該アーム部材収納用縦溝に連続する逆Ｕ字形係止部材収納用縦溝を、それぞれ構成し、かつ前記アーム部材の基部を、前記電源部の筐体の下端中央部に回動自在に取り付け、該アーム部材を該アーム部材収納用縦溝中に収納するように回動させると、その上部の逆Ｕ字形係止部材が前記逆Ｕ字形係止部材収納用縦溝中に収納され、かつ該逆Ｕ字形係止部材の先端側垂下部の外面に配した光源が該電源部の筐体の前面側に露出することとなるように構成したものである。
【００２０】
前記アーム部材を、以上のように、その基部を、前記電源部の筐体の下端中央部に回動自在に取り付け、前記電源部の筐体の裏面側に構成したアーム部材収納用縦溝中に収納し得、かつ同時に逆Ｕ字形係止部材を該筐体の上部に構成した逆Ｕ字形係止部材収納用縦溝中に収納し得るように構成した場合は、該アーム部材の、該アーム部材収納用縦溝に収納した際に露出することとなる面に、胸ポケットに差込み可能な係止片を配することとするのが好ましい。
【００２１】
このように係止片を構成することにより、例えば、該係止片を用いてこの携帯用照明装置を胸ポケット等の係止すると、該携帯用照明装置の光源が胸の前面で前方を向いて位置することとなり、この状態で電源スイッチを投入すると、両手が開いた状態で前方を照明することができることとなり好都合である。
【００２２】
更に前記アーム部材を以上のように構成した場合は、該アーム部材に、これを前記アーム部材収納用縦溝に収納した場合に前記筐体の裏面側をカバーすることとなる被覆部材を構成することとするのが好ましい。
【００２３】
このように構成することにより、該アーム部材を該アーム部材収納用縦溝中に収納した状態では該被覆部材が筐体の裏面側を被覆し、該裏面側が汚れるのを防止することができるため、該アーム部材を展開してその上部の逆Ｕ字形係止部材を用いて仕切り壁の開口部等に係止した際に、該筐体の裏面側がその壁面等に当接しても、これを汚してしまうような問題が生じる虞がない。
【００２４】
前記光源は、必要な光量を持った種々の豆電球又はＬＥＤ（発光ダイオード）等を採用することができる。
該光源の背後には平面状の反射板を配置するのが適当である。背後に広がる光をスポット状に絞ることなく前方に反射させ有効利用する趣旨である。
【００２５】
前記電源部の筐体の前面で、前記アーム部材を前記アーム部材収納用縦溝に、前記逆Ｕ字形係止部材を逆Ｕ字形係止部材収納溝に、それぞれ収納した状態で前記光源が露出することとなる部位の周囲に反射部材を配することとするのが好ましい。これは、該アーム部材及び逆Ｕ字形係止部材を以上のように収納状態にした上で、照明のために使用する際に、より有効に前方を照明することができることとなるためである。
【００２６】
従って本発明の携帯用照明装置によれば、建物の壁の内部の一定位置まで設置してあるガスの配管や電線の末端等を見出し、これに外部の機器類を接続する等の作業を行う場合に有効に使用することができる。
【００２７】
このような壁の内部の目的物を見出すために、これに近接する位置のコンセント用の開口部等を利用し、その開口部縁に本発明の携帯用照明装置を係止して内部を照明することができる。開口部縁への係止は、アーム部材の先端の逆Ｕ字形係止部材を係止することで行うことができる。この携帯用照明装置の光源は、前記逆Ｕ字形係止部材の先端側垂下部の外面に配してあるため、以上のような係止状態で、該光源は開口部縁の周縁部から壁内方を向いた状態になっており、この状態で電源を投入すると、閉じられて暗くなっている内部が照明され、目的物を探し易くなる。
【００２８】
前記したように、前記アーム部材及び逆Ｕ字形係止部材は、電池等が収納されている電源部の筐体よりは充分に細く又は薄いものであり、前記開口部に占める割合はごく僅かであって、該開口部から作業者が壁内部を覗き込むのに殆ど邪魔にならない。従って該開口部から内部のガス配管の末端や電源ラインの末端等の目的物を容易に探すことができる。また、前記のように、該光源はレンズを用いておらず、光が絞られないようになっているので、広い範囲を一様に照明することができる。そのため目的物の位置が不明なこのような場合に極めて好都合である。
【００２９】
こうして、本発明の携帯用照明装置によれば、これを手で掴んで保持するような必要なく、建物の壁の内部の照明を良好に行うことができるため、以上のように、ガスの配管や電線の末端等を容易かつ確実に見出し、かつこれに外部の機器類を接続するような作業を容易に行うことができることとなる。
【００３０】
なお、前記アーム部材に被覆部材を構成した場合は、前記したように、筐体の裏面が汚れないようにこれによって被覆されるため、前記のように、アーム部材を展開してその上部の逆Ｕ字形係止部材によって前記開口部に係止したような場合に、該筐体の裏面側が該開口部直下の壁面に当接しても、該壁面を汚してしまうような問題が生じることはない。
【００３１】
また建築途上の暗い室内の隅その他の照明のない場所で作業を行う場合には、本発明の携帯照明装置を作業者の胸のポケット等に係止してその前方の手元付近を広くかつ良好に照明することができるため、照明自体が良好に行われることに加えて、作業に両手を用いることができるので、作業もまた極めて良好に行われることになる。
【００３２】
なお本発明の携帯照明装置は、先に述べたように、前記アーム部材収納用縦溝に収納したアーム部材の露出面に配した係止片を利用して作業者の胸ポケット等にこれを係止することができるものである。
【００３３】
【実施例】
以下、本発明の携帯用照明装置の実施例について、図面を参照しながら詳細に説明する。
図面は本発明の携帯用照明装置の実施例を示したもので、図１はアームを筐体のアーム収納溝中に収納した携帯用照明装置の正面側から見た斜視図、図２はアームを筐体のアーム収納溝中に収納した携帯用照明装置の背面側から見た斜視図、図３はアームを展開した携帯用照明装置を上下反転した状態で光源側から見た斜視図、図４はアームを展開した携帯用照明装置を上下反転した状態で光源と反対側から見た斜視図、図５（ａ）はアームをアーム収納溝中に収納した携帯用照明装置に於ける光源及びその周囲の斜視図、図５（ｂ）は図５（ａ）のＡ−Ａ線断面図、図６はアームをアーム収納溝中に収納した携帯用照明装置の内部機構を省略した中央部縦断面図、図７は、壁の開口部縁に上下反転した携帯用照明装置に於ける展開したアームの係止部を係止して、その光源で壁体の内部を照明している状態を示した断面説明図、図８はペンライトを用いて壁の内部を開口部から照明している状態を示した従来例の断面説明図である。
【００３４】
この実施例の携帯用照明装置は、図１〜図４に示すように、基本的に、電源部収納用の筐体１と、該筐体１から延長したアーム（アーム部材）２、該アームの先端に構成した逆Ｕ字形の係止部（逆Ｕ字形係止部材）３及び該係止部３の先端側垂下部３ａの外面に配した光源４からなる照明部５とで構成する。
【００３５】
前記筐体１は、前記のように電源部収納用のケースであり、この実施例では、図１〜図４に示すように、ほぼ直方体状のケースに構成してある。電源として、乾電池又は対応するサイズの二次電池が使用可能であり、該筐体１の内部の収納部にこれらを収納する。該筐体１の上部両側に開閉自在な蓋体１ａ、１ａが配してあり、これらを開けて前記収納部に対応するサイズの乾電池（この実施例では単３の乾電池）等が収納できるようになっている。なお筐体１の側部下端には、図１〜図４に示すように、電極１ｂ、１ｂが配してあり、前記収納部に二次電池を収納した場合は、これらを利用して充電できる。なおまた電源スイッチ１ｃは、図１及び図４に示すように、筐体１の下部中央に配してあり、これを押し下げる毎にオンオフを繰り返すように構成してある。当然、オンのときに、前記光源４が発光する。
【００３６】
図３に示すように、前記筐体１の背面には複数の縦溝を備えた壁当たり１ｄを配し、かつその中央部縦方向に沿ってアーム収納溝（アーム部材収納用縦溝）１ｅを形成しておくものとする。また該アーム収納溝１ｅの下部側には、図１〜図４及び図６に示すように、筐体１の前面側に突き抜ける係止部収納溝（逆Ｕ字形係止部材収納用縦溝）１ｆを形成しておくものとする。
【００３７】
前記壁当たり１ｄは、図３に示すように（この図は上下反転している）、前記筐体１の背面から見て長方形に膨出させた部材の両肩を各々斜めにカットした全体形状の部材であり、前記したように、中央部のアーム収納溝１ｅ及びそれ以外の部位の複数の縦溝を備えたものである。該筐体１の背面に於いて、下部には後記ヒンジ２ａを構成するだけのスペースを残し、また上部にも僅かのスペースを残して配したものである。
【００３８】
前記アーム２は、前記したように、照明部５の一部を構成するものであり、その先端に逆Ｕ字形の係止部３を備え、かつ該係止部３の先端垂下部３ａに光源４を備えたものである。該係止部３は、後述するように、閉じた空間の開口部縁に係止するための手段であり、このように係止した場合に、これを備えたアーム２を介して前記筐体１を吊り下げ支持するものであるから、相応の剛性と強度とを供えたものである必要がある。該アーム２も同様である。また該アーム２及び係止部３は、云うまでもなく、その中に該筐体１の電源から後者の先端垂下部３ａの光源４まで電流供給用の導体を配する必要があり、この実施例では、該アーム２及び係止部３中の図示しない貫通孔を通じてこれを貫通させてある。
【００３９】
前記アーム２は、特に図２、図３及び図６に示すように、その基部を筐体１の下部中央にヒンジ２ａを介して回動自在に取り付ける。該アーム２の取付位置は、これを該筐体１の背面側に倒すと、図１、図２及び図６に示すように、前記アーム収納溝１ｅ中に収納状態となり、かつ該アーム２の先端側に構成した逆Ｕ字形の係止部３が前記係止部収納溝１ｆに収納状態になるように設定する。
【００４０】
また該アーム２は、図２〜図４及び図６に示すように、その外面側に壁当たりカバー（被覆部材）２ｂを取り付ける。該壁当たりカバー２ｂは、該アーム２を、前記のように、筐体１の背面側に倒し、該アーム収納溝１ｅ中に収納状態にさせた際に、前記壁当たり１ｄに当接し、その全体を被覆するように、その背面から見た形状を定めかつ取付位置を設定する。また該壁当たりカバー２ｂには、図２、図４及び図６に示すように、前記アーム２をアーム収納溝１ｅに収納した状態で、該筐体１の下部側が開いた向きとなるようにクリップ（係止片）２ｃを、その裏面に構成する。
【００４１】
前記光源４は、この実施例では、豆電球で構成したものである。図５（ａ）及び（ｂ）に示すように、前記係止部３の先端垂下部３ａの前面に僅かに凹面状となってはいるがほぼ平面状の反射板４ａを構成し、その前面中央に前記光源４を配置する。前記したように、前記アーム２をアーム収納溝１ｅに収納し、前記係止部３を係止部収納溝１ｆに収納すると、該係止部３の先端垂下部３ａに構成した光源４は、図１に示すように、前記筐体１の前面側に露出することとなる。該筐体１の前面に於いて、このようにして露出する光源４の周囲に、図１、図４及び図５（ａ）、（ｂ）に示すように、指向性を高めた曲率の補助反射板（反射部材）４ｂを配する。
【００４２】
従ってこの実施例の携帯用照明装置によれば、例えば、建物の壁の内部の仕切られた空間内の一定位置まで設置してあるガス又は水道のチューブ配管の末端、或いは電線又は電話線の末端等を見出し、これに外部の機器類を接続する等の作業を行う場合に有効に活用することができる。
【００４３】
仕切り壁１３の内部の目的物、例えば、電線１４の末端を見出すために、これに近接する位置のコンセント用等の開口部１１を利用し、その開口部１１縁にこの実施例の携帯用照明装置を係止して内部を照明することができる。開口部１１縁への係止は、図１及び図２に示すように、アーム収納溝１ｅ及び係止部収納溝１ｆ中にそれぞれ収納されているアーム２及び係止部３を、図４に示すように、該アーム２の基部のヒンジ２ａで１８０度回動させて前記筐体１の下部から直線状に延長した状態にし、かつ該筐体１を上下反転させた上で、図７に示すように、上部の逆Ｕ字形の係止部３の先端垂下部３ａを該開口部１１の内側に挿入し、その中間部を該開口部１１の縁に係止することにより行うことができる。
【００４４】
この状態で、電源スイッチ１ｃを押し下げ操作すると、電源が投入され、前記係止部３の先端垂下部３ａの前面に配してある光源４が発光し、壁に閉じられて暗くなっている内部が照明され、目的物である電線１４の末端が探しやすくなるものである。前記光源４は、先に述べたように、集光レンズを有さず、かつその背後に僅かに凹面状となった反射板４ａを備えているに過ぎない物であるため、図７に示すように、その前方に向かって大きな角度で光が拡散することとなり、前記壁内のような比較的狭い範囲では、該光源４の前方を広い範囲でかつ充分に照明することができる。そのため、前記のように、この近辺に位置している前記電線１４の末端が容易にその照明範囲に入ることとなる。
【００４５】
また前記光源４は、前記開口部１１の縁に係止した前記係止部３の先端垂下部３ａに配してあるものであり、かつ係止部３及びこれに連続するアーム２は、前記のように、該開口部１１の僅かの部分を占めるに過ぎない物であるため、作業者が該開口部１１から内部を覗き込む際に、殆ど邪魔になることがない。そのため、作業者は、該開口部１１から壁の内部を良好に覗き込み得、前記のように照明されている電線１４の末端を容易に見出すことができる。また該光源４を、以上の位置に保持するのに作業者の手を必要としないため、例えば、該電線１４の末端を引き出して対応する器具に接続する等の作業を行う場合に、両手を自由に用いることができ、その作業が容易に行い得るものとなる。
【００４６】
更にまたこの実施例の携帯用照明装置は、その筐体１の背面に壁当たり１ｄを構成し、かつ前記アーム２に壁当たりカバー２ｂを構成しておき、この携帯用照明装置を、以上のように、前記係止部３で前記開口部１１に係止して使用する場合を除いて、図１及び図２に示すように、該アーム２を前記アーム収納溝１ｅに収納することで、同時に、該壁当たりカバー２ｂで該壁当たり１ｄを被覆しておくようにしたことで、該壁当たり１ｄが作業現場に於ける作業中に汚れることを防止ししたため、該壁当たり１ｄは、常にきれいな状態を保持し得、前記のように、前記開口部１１に該携帯用照明装置を前記係止部３で係止した際に、該開口部１１の直下の壁面をこれに当接する壁当たり１ｄによって汚してしまうような問題が生じることはない。
【００４７】
また建築途上の暗い室内の隅その他の照明のない、しかし必ずしも狭くはない場所で作業を行う場合には、この実施例の携帯照明装置を、図１及び図２に示すように、前記アーム２を前記アーム収納溝１ｅに収納し、かつ前記係止部３を前記係止部収納溝１ｆに収納した状態で、前記壁当たりカバー２ｂの裏面に構成したクリップ２ｃで、作業者の胸のポケット等に係止してその前方の手元付近を広くかつ良好に照明することができる。
【００４８】
以上の状態で、図１に示すように、前記光源４は前記筐体１の前面側に露出しており、その周囲に構成した補助反射板４ｂにより該光源４は指向性が高められており、上記のように、この携帯用照明装置を胸に係止すると、その前方が良好に照明されることになる。
【００４９】
この場合も、該携帯用照明装置を保持するのに手を用いていないため、作業者は両手が開いており、良好に照明される手元で、両手を用いて能率的に作業を行うことができるものである。
【００５０】
いずれの場合でも、不使用時には、前記電源スイッチ１ｃを操作してオフ状態にしておくのは云うまでもない。
【００５１】
【発明の効果】
本発明の１の携帯用照明装置によれば、閉じた空間を仕切る仕切り壁の小さな開口部からその開口スペースの占有を最小限に抑えながら内部を良好に照明することができる。またその照明の際に作業者の手を用いず、作業のために両手を確保することができる。
【００５２】
本発明の２の携帯用照明装置によれば、過度の指向性を排除して広範な照射範囲を照射することができ、従来の照明器具と異なりこれを移動させながら照射するような必要はない。壁内のような狭い空間ではこのように指向性を排除しても容易に必要な光量を確保できるものでもある。
【００５３】
本発明の３の携帯用照明装置によれば、アーム部材及び逆Ｕ字形係止部材をそれぞれアーム部材収納用縦溝又は逆Ｕ字形係止部材収納用縦溝中に収納することで該携帯用照明装置をコンパクトに折り畳むことができる。またこの状態で光源が筐体の前面側に露出するので、作業者が手で掴んで若しくは胸ポケット等にその下部を入れた状態で身体の前方を照射することも可能になる。
【００５４】
本発明の４の携帯照明装置によれば、アーム部材及び逆Ｕ字形係止部材をそれぞれアーム部材収納用縦溝又は逆Ｕ字形係止部材収納用縦溝中に収納することで該携帯用照明装置をコンパクトに折り畳んだ状態で、前記係止片を利用してこれを作業者の胸ポケット等に容易に係止することができる。そのためこれによって手元を良好に照明してその作業を容易に行えるようにすることができる。
【００５５】
本発明の５の携帯用照明装置によれば、アーム部材及び逆Ｕ字形係止部材をそれぞれアーム部材収納用縦溝又は逆Ｕ字形係止部材収納用縦溝中に収納することで該携帯用照明装置をコンパクトに折り畳んだ上で照明動作を行う場合、光源の周囲の反射部材により、適切に照射範囲を絞る等を行い、手元を良好に照明することができるようにすることができる。
【００５６】
本発明の６の携帯用照明装置によれば、通常、筐体の裏面が汚れないように被覆部材によって被覆されるため、アーム部材を展開してその上部の逆Ｕ字形係止部材によって前記開口部に係止したような場合に、該筐体の裏面側が該開口部直下の壁面に当接しても、該壁面を汚してしまうような問題が生じることはない。
【図面の簡単な説明】
【図１】アームを筐体のアーム収納溝中に収納した携帯用照明装置の正面側から見た斜視図。
【図２】アームを筐体のアーム収納溝中に収納した携帯用照明装置の背面側から見た斜視図。
【図３】アームを展開した携帯用照明装置を上下反転した状態で光源側から見た斜視図。
【図４】アームを展開した携帯用照明装置を上下反転した状態で光源と反対側から見た斜視図。
【図５】（ａ）はアームをアーム収納溝中に収納した携帯用照明装置に於ける光源及びその周囲の斜視図。（ｂ）は（ａ）のＡ−Ａ線断面図。
【図６】アームを筐体のアーム収納溝中に収納した携帯用照明装置の内部機構を省略した中央部縦断面図。
【図７】壁の開口部縁に上下反転した携帯用照明装置に於ける展開したアームの係止部を係止して、その光源で壁体の内部を照明している状態を示した断面説明図。
【図８】ペンライトを用いて壁の内部を開口部から照明している状態を示した従来例の断面説明図。
【符号の説明】
１　　筐体
１ａ　蓋体
１ｂ　電極
１ｃ　電源スイッチ
１ｄ　壁当たり
１ｅ　アーム収納溝
１ｆ　係止部収納溝
２　　アーム
２ａ　ヒンジ
２ｂ　壁当たりカバー
２ｃ　クリップ
３　　逆Ｕ字形の係止部
３ａ　先端側垂下部
４　　光源
４ａ　反射板
４ｂ　補助反射板
５　　照明部
１１　開口部
１２　ペンライト
１３　仕切り壁
１４　電線
【図１】
2004071318.tif 000003
【図２】
2004071318.tif 000004
【図３】
2004071318.tif 000005
【図４】
2004071318.tif 000006
【図５】
2004071318.tif 000007
【図６】
2004071318.tif 000008
【図７】
2004071318.tif 000009
【図８】
2004071318.tif 000010